(57)【要約】【課題】  就寝中フトンが邪魔になったときや起床後フトンを干したいときに、寝床上の空間にフトンのほぼ全体またはその一部を広げて保持可能とするフトン掛けを提供する。【解決手段】  アームと支柱とから成るフトン支持体複数本をベース部に立設したフトン掛けを寝床に設置し、前記アームにフトンを掛け渡すことにより寝床上の空間にフトンを広げて保持可能とする。【選択図】図１
2009095653.tif 000002
【特許請求の範囲】
【請求項１】
アームと前記アームを支える支柱とから成るフトン支持体複数本をベース部に立設したフトン掛けであって、前記アームが寝床上の空間に位置するように設置し、前記アーム複数本の全部または一部にフトンを掛け渡すことにより、寝床上の空間にフトンのほぼ全体またはその一部分を広げて保持可能とする構造であることを特徴とするフトン掛け。
【請求項２】
請求項１に記載したフトン掛けであって、前記アームの長さが調整可能な構造であることを特徴とするフトン掛け。
【請求項３】
請求項１または請求項２のいずれかに記載したフトン掛けであって、前記アームの先端に緩衝体を装着したことを特徴とするフトン掛け。
【請求項４】
請求項１から請求項３までのいずれか１項に記載したフトン掛けであって、前記アームの高さが調整可能な構造であることを特徴とするフトン掛け。
【請求項５】
請求項１から請求項４までのいずれか１項に記載したフトン掛けであって、前記アームがほぼ水平方向に回動自在な構造であることを特徴とするフトン掛け。
【請求項６】
請求項５に記載したフトン掛けであって、前記回動を係止することが可能な構造であることを特徴とするフトン掛け。
【請求項７】
請求項１から請求項６までのいずれか１項に記載したフトン掛けであって、前記フトン支持体が寝床長手方向に平行移動可能な構造であることを特徴とするフトン掛け。
【請求項８】
請求項１から請求項７までのいずれか１項に記載したフトン掛けであって、寝床外へのフトンのずり落ちを防止するためのフトン止めを備えたことを特徴とするフトン掛け。
【請求項９】
請求項１から請求項８までのいずれか１項に記載したフトン掛けであって、前記支柱において、前記アームが上下に複数段備わっていることを特徴とするフトン掛け。
【発明の詳細な説明】
【技術分野】
【０００１】  本発明は、寝床上の空間にフトンを掛け渡し広げるためのフトン掛けに関するものである。
【背景技術】
【０００２】
【特許文献１】  特開平９−２９０００７号
【特許文献２】  特開２００４−２０８９８０号
【特許文献３】  実用新案登録番号第３０４３９８８号
【特許文献４】  実開平２−１１１９７５号
【発明の開示】
【発明が解決しようとする課題】
【０００３】  季節の変わり目など気温の変化が大きな夜は、体に掛けるフトンや毛布などを１枚減らすかまたは追加したくなることがある。しかしながら、不要となったフトンを寝床の片隅に置くのでは邪魔になり、寝床の外へ運び出すのでは労力が必要であった。また暑い夜など足の部分だけフトンを体から外したい場合もやはりその外した部分のフトンが邪魔になっていた。一方、起床後は、汗を吸ったフトンをそのまま寝床の上に置いておいたのでは湿気がなかなか抜けてくれないが、毎朝寝床からフトンを運び出して干すのは労力の要る作業であった。【０００４】  このような課題に対し、寝床上の空間にフトンを掛けたり置いたりできる器具が有効である。しかしながら従来のもの、例えば前記特許文献１の器具では、その利用方法と構造から棚の大きさが限られてしまうため、フトンは折りたたんで載せることとなり使い勝手が悪い。また起床後のフトン干しとしての利用を考えた場合も、その棚の大きさではフトンを広げるのに寝床の外側までフトンを垂らさなければならず、寝床上の空間を有効に利用できるものではなかった。【０００５】  前記特許文献２の器具は、フトンの長手方向を二つ折りにして垂直に掛けるため、フトンを完全に寝床から離すには掛ける位置がかなり高くなってしまい、その分余計な労力が必要であった。また掛けたフトンが壁となって寝床上への空気の流れを遮断するため、特に寝床の脇を部屋の壁に付けた状態で設置している場合、その反対側の脇にフトンを掛けると寝床上の空気の流れが極端に悪くなる可能性もあり、特に夏の就寝時の使用には向かないものであった。また就寝中の利用者が足の部分だけフトンを体から外したい場合、該器具では対応が困難であった。【０００６】  前記特許文献３の器具は、利用者をフトンの重みから解放するため考案されたものである。そのため設置された下肢部であってもフトンの中程に空間を設ける程度のものであり、暑さ対策としては効果が低いものであった。特に寝床上の空間にフトン全体を浮かすことは不可能であり、就寝時に体に掛けるフトンの数を調整するのに役立つものではなく、起床後にフトンを干すといったことにも利用できるものではなかった。【０００７】  前記特許文献４の器具は、テレビを載せるために考案されたものであり、一本のアームの先端に備えたテーブルにテレビを載せる構造である。そのため前記特許文献３の器具同様寝床上の空間にフトン全体を浮かすことは不可能であり、就寝時に体に掛けるフトンの数を調整するのに役立つものではなく、起床後にフトンを干すといったことにも利用できるものではなかった。
【課題を解決するための手段】
【０００８】  本発明は、上記課題を解決するためになされたものであり、まず請求項１の発明では、アームと前記アームを支える支柱とから成るフトン支持体複数本をベース部に立設したフトン掛けであって、前記アームが寝床上の空間に位置するように設置し、前記アーム複数本の全部または一部にフトンを掛け渡すことにより、寝床上の空間にフトンのほぼ全体またはその一部分を広げて保持可能とする構造であることを特徴とするフトン掛けを提供する。【０００９】  また請求項２の発明では、前記アームの長さが調整可能な構造であることを特徴とするフトン掛けを提供する。【００１０】  また請求項３の発明では、前記アームの先端に緩衝体を装着したことを特徴とするフトン掛けを提供する。【００１１】  また請求項４の発明では、前記アームの高さが調整可能な構造であることを特徴とするフトン掛けを提供する。【００１２】  また請求項５の発明では、前記アームがほぼ水平方向に回動自在な構造であることを特徴とするフトン掛けを提供する。【００１３】  また請求項６の発明では、前記回動を係止することが可能な構造であることを特徴とするフトン掛けを提供する。【００１４】  また請求項７の発明では、前記フトン支持体が寝床長手方向に平行移動可能な構造であることを特徴とするフトン掛けを提供する。【００１５】  また請求項８の発明では、寝床外へのフトンのずり落ちを防止するためのフトン止めを備えたことを特徴とするフトン掛けを提供する。【００１６】  また請求項９の発明では、前記支柱において、前記アームが上下に複数段備わっていることを特徴とするフトン掛けを提供する。【００１７】  先ず、請求項１の発明を詳細に説明すると次の通りである。前記フトンとは、毛布やタオルケット等も含めた、すなわち体に掛ける寝具の総称である。また前記寝床とは、すなわち洋式のベッドまたは和式の敷布団の寝床である。【００１８】  該フトン支持体は、ほぼ逆Ｌ字状の形体が最も好ましく、その数は３本から５本の間の本数が好ましい。また該アームの形状が山形または湾曲に形成されたものも好ましい。また該アームから該支柱へ移る部分が湾曲に形成されたものも好ましい。なお、強度的に不安のある場合は、該支柱と該アームとの間に該アームを支持するための補強部材を設けるのが好ましい。また該アーム表面の滑りが良すぎるため掛けたフトンがその自重で落ちてしまうような場合は、該アーム表面に滑り止めの加工を施すのが好ましい。【００１９】  前記ベース部は、その主体部分を硬質な材から成るパイプもしくは板から形成したものが好ましく、ベッドにおいては、そのフレームや幕板を前記ベース部の主体部分として利用したものも好ましい。【００２０】  該フトン支持体の該ベース部への立設方法としては、該ベース部に対し直接該フトン支持体下部を固定するのが好ましく、該ベース部に対し該フトン支持体を抜き差し自在に立設するのがより好ましい。【００２１】  次に、請求項２の発明を詳細に説明すると次の通りである。前記アームの長さとは、すなわち該アームにおけるフトン掛けとして有効な部分の長さである。またその長さの調整方法は、該アームを折りたたみ式とするのが好ましく、該アームを伸縮式とするのがより好まし��。【００２２】  次に、請求項３の発明を詳細に説明すると次の通りである。前記緩衝体は、使用者が本発明と接触した際のケガの防止と、フトンを掛け外しする際の該アーム先端へのフトンの引っ掛かり防止のため、その形状は球体で、材質は滑りの良い柔軟なものが好ましい。【００２３】  次に、請求項４の発明を詳細に説明すると次の通りである。該アームの高さを調整する方法としては、該支柱における該アームの設置位置を上下に調整可能な構造とするのが好ましく、該支柱を伸縮式とし該支柱自体の長さを調整することにより該アームの高さを調整可能な構造とするのがより好ましい。【００２４】  次に、請求項５の発明を詳細に説明すると次の通りである。前記アームの回動は、該フトン支持体ごとその立設位置を軸として回動する構造が好ましく、また該支柱を軸として該アームのみが回動する構造も好ましい。【００２５】  次に、請求項７の発明を詳細に説明すると次の通りである。すなわちこれは、該アームどうしの間隔の調整や、寝床長手方向におけるフトンを保持する位置の調整を可能とするものである。【００２６】  次に、請求項９の発明を詳細に説明すると次の通りである。前記複数段の段数は２段が好ましく、その場合の上下に並ぶ該アームどうしの間隔は調整可能であるのが好ましく、そうでない場合は上下段共フトンを掛け渡した状態の時に、そのフトンどうしが触れ合うことのない程度の間隔とするのが好ましい。
【発明の効果】
【００２７】  本発明により、従来その一部しか利用されていなかった寝床上の空間を広く利用し、フトンのほぼ全体またはその一部分を横方向に広げて保持することが可能となる。【００２８】  本発明は、フトンを複数本の該アームにほぼ横方向に掛け渡すといった利用方法が可能なことから、二つ折りに垂直にぶら下げる構造のものとは違い比較的低い位置にフトンを掛ける高さを設定できる。また該支柱は寝床左右脇の片側のみに位置し、そこから延びた該アームの一端は何とも繋がっていない。これらの構造的特徴により図１５及び図１６に示すように、該支柱の設置された寝床脇の反対側の脇に利用者が立ち、広げた両手に寝床上のフトンの長手縁部分を持ち、手前に引き寄せそのまま引っ繰り返すように持ち上げて、複数本の該アームに掛け渡すといった掛け方が可能となる。つまりこれはフトンの移動距離が短く、しかもその間フトンは寝床上か該アーム上のいずれかにその一部が載っている状態であるため、利用者はフトンの全重量を相手にする必要がなく比較的少ない労力でフトン掛けが行えるといった効果がある。【００２９】  また本発明により、就寝中は図１７に示すように、フトンを完全に体から外したり、図１８及び図１９に示すように、部分的にフトンを体から外したりと、多様性に富んだ使い方が可能である。また掛けたフトンが、寝床の上を通り抜ける空気の流れを妨げてしまうといったこともない。【００３０】  本発明を起床後のフトン干しとして使用する際は、図２０に示すように、フトンのほぼ全体を横方向に広げて掛け渡すことが可能である。【００３１】  本発明は、該アームの長さを調整可能な構造とすることにより、利用者が寝床上に居ながらにして本発明に対しフトンを掛けたり外したりする場合、該アームを縮めた状態とすることにより、該アームが邪魔にならずに行えるといった効果がある。【００３２】  本発明は、該アーム先端に緩衝体を装着することにより、使用者が本発明と接触した際の危険防止や、フトンの掛け外しの際の該アーム先端へのフトンの引っ掛かり防止に役立ち、安全で使いやすいものとなる。【００３３】  本発明は、該アームの高さを調整できる構造とすることにより、就寝時の利用においては使用者の体型に合わせた調整が可能となる。またフトン干しとしては、就寝時の利用位置より高い位置に該アームを移動することで、図２１に示すように、該アームの本数を４本とした場合その２本を一組とした計２組それぞれに別々のフトンを掛けることが可能である。【００３４】  本発明は、該アームがほぼ水平方向に回動可能な構造とすることにより、本発明利用中に寝床上で体を起こしたり横たわったりする際、一部の該アームを邪魔にならない位置へ移動させることが可能となる。また本発明を利用しない時は図７に示すように、寝床脇へ該アームを収納することが可能となる。また該アームの回動を係止する機能をもたせることにより、図６に示すフトンを掛けるのに最適な位置に該アームを留めることが可能となるため該アームが安定しフトンの掛け外しの際などにおいて使い勝手の良いものとなる。【００３５】  本発明は、該フトン支持体が寝床長手方向に平行移動可能な構造とすることにより、掛け渡すフトンの性質に合わせ該アームどうしの間隔を調整することが可能となりより使い勝手の良いものとなる。また寝床長手方向において好きな位置に該フトン支持体、すなわち該アームを移動できるので、体の一部分のみフトンを外したい場合、その位置の微妙な調整が可能となりより快適に利用できるものとなる。また本発明を利用しない時は図８に示すように、寝床足側へ該アームをまとめることが可能となる。【００３６】  本発明は、フトンを掛けることから得られる効果だけでなく、特にベッドにおいては複数本の該支柱がその脇に立つことでフトンのずり落ちを防止する効果があるが、フトン止めを付設することにより、さらにその効果を高めることが可能となる。【００３７】  本発明は、該アームを複数段とすることにより、図２３に示すように、フトン複数枚を横方向に広げることが可能となる。
【実施例】
【００３８】  本実施例によるフトン掛けは、図１に示すように、４本のフトン支持体１をベース部２に立設した構造であり、その詳細は次の通りである。【００３９】  先ず、フトン支持体１は、図２に示すように、アーム３と支柱４が１本の円筒管をほぼ直角に曲げたものから成るほぼ逆Ｌ字状の形体をしており、その直角内側部分に補強部材５を付設したものであり、さらにその詳細は次の通りである。【００４０】  アーム３は、図２に示すように、その内部に一回り小さな直径の円筒管から成る延長アーム６を繰り出し可能に備えることでフトンを掛ける部分の長さが調整可能となっている。また延長アーム６の先端には球体で滑りがよく柔軟な素材から成る緩衝体７が備わる。【００４１】  支柱４は、図２及び図３に示すように、その内部に一回り小さな直径の円筒管から成る延長支柱８を繰り出し可能に備えている。この延長支柱８には長手方向直線上に複数の孔１１が等間隔で設けてあり、その孔１１のいずれかを支柱４下部に設けた雌ネジ孔１０に合わせ雄ネジ９を締め込むことで支柱部分の長さを固定するといった方法により該アームの高さを調整可能としている。また延長支柱８の下部外周面の相対する２箇所それぞれに突起１２が設けてある。【００４２】  次に、ベース部２は、図１及び図４に示すように、土台１３とガイドレール１８とスライド板１７と支柱支持部材１５とから成るものであり、さらにその詳細は次の通りである。【００４３】  土台１３は、長方形断面あるいは円型断面のパイプにより、図４に示すように、水平部分と垂直部分とその上に延びるフトン止め部分１４とから成り、その垂直部分外側には、上下一対の溝の付いたガイドレール１８を水平方向に渡設してある。また支柱支持部材１５は、図３に示すように、そこに差し込まれる延長支柱８が内で自由に回転でき且つガタつかない程度の内径を持つ円筒管から成り、その上端縁には、該アームがフトンを掛けるのに最適な位置にて係止されるよう、二つの突起１２が収まるための溝１６が２箇所に設けてある。そして図４に示すように、この支柱支持部材１５をスライド板１７の片面に固着したもの４体をガイドレール１８の上下溝にはめることによりベース部２が完成する。【００４４】  次に、ベース部２へのフトン支持体１の立設は、各延長支柱８の下部を各支柱支持部材１５に差し込むことにより行う。なお、本実施例によるフトン掛けのフトン支持体は、ベース部に対し抜き差し自在となっている。【００４５】  以上の構造から成る本実施例によるフトン掛けの寝床脇への設置については、図５に示すように、ベース部２における土台１３の水平部分をベッドマットレス１９または敷布団の下へ差し込むことにより行う。またベッドに限っては、上記方法以外に部屋床上への設置も可能である。なお、その際ベース部の底面にキャスターを付設することで該フトン掛けの移動が楽に行えるものとなる。【００４６】  以上は、本発明の実施例を説明したものであり、その具体的な内容は、本発明の要旨を逸脱しない限り種々の変更を加えることができる。例えば該アームの高さの調整については、他の方法として図９に示すような該支柱における該アーム設置位置を上下に移動させる方法であってもよい。また該フトン支持体は、図１０から図１２に示すような形体であってもよい。また該ベース部は、図１３に示すように、ベッドのフレームや幕板に直接前記ガイドレール１８を設けたものであってもよい。また該フトン支持体の該ベース部上での移動方法としては、図１４に示すように、設置する該フトン支持体の本数よりも多い数の該支柱支持部材を該土台上に設け、該フトン支持体の差し込む先を変更することによって移動させるといった方法もある。
【産業上の利用可能性】
【００４７】  本発明は、介護分野においての利用可能性がある。また洋服掛けや室内干し用の物干し竿としても利用可能性がある。
【図面の簡単な説明】
【００４８】
【図１】  本発明によるフトン掛け一実施例の斜視図である。
【図２】  フトン支持体一実施例の側面図である。
【図３】  延長支柱と支柱支持部材との挿設部分の拡大図である。
【図４】  ベース部一実施例の側面図である。
【図５】  本発明一設置例を寝床足側から見た図である。
【図６】  本発明一設置例の斜視図である。
【図７】  アームを寝床脇へ収納した状態の斜視図である。
【図８】  フトン支持体を寝床足側に移動した状態の斜視図である。
【図９】  アームの高さの調整方法における一実施例の側面図である。
【図１０】  折りたたみ式によるアームの長さ調整機能を持つフトン支持体一実施例の側面図である。
【図１１】  伸縮式によるアームの長さ調整機能を持つフトン支持体一実施例の側面図である。
【図１２】  伸縮式によるアームの長さ調整機能を持つフトン支持体一実施例の側面図である。
【図１３】  ベース部一実施例を寝床足側から見た図である。
【図１４】  ベース部一実施例の斜視図である。
【図１５】  本発明へのフトンの掛け渡し方法を寝床足側から見た図である。
【図１６】  図１５のフトンの掛け渡し方法のつづきの図である。
【図１７】  就寝時の本発明の一使用例を寝床横側から見た図である。
【図１８】  就寝時の本発明の一使用例を寝床横側から見た図である。
【図１９】  就寝時の本発明の一使用例を寝床横側から見た図である。
【図２０】  布団干しとしての本発明の一使用例を寝床横側から見た図である。
【図２１】  布団干しとしての本発明の一使用例を寝床横側から見た図である。
【図２２】  アームを複数段とした場合のフトン支持体一実施例の側面図である。
【図２３】  アームを複数段とした場合の本発明一使用例を寝床横側から見た図である。
【符号の説明】
【００４９】１    フトン支持体
２    ベース部
３    アーム
４    支柱
５    補強部材
６    延長アーム
７    緩衝体
８    延長支柱
９    雄ネジ
１０  雌ネジ孔
１１  孔
１２  突起
１３  土台
１４  フトン止め部分
１５  支柱支持部材
１６  溝
１７  スライド板
１８  ガイドレール
１９  ベッドマットレス
２０  ベッドフレーム
２１  フトン
【図１】
2009095653.tif 000003
【図２】
2009095653.tif 000004
【図３】
2009095653.tif 000005
【図４】
2009095653.tif 000006
【図５】
2009095653.tif 000007
【図６】
2009095653.tif 000008
【図７】
2009095653.tif 000009
【図８】
2009095653.tif 000010
【図９】
2009095653.tif 000011
【図１０】
2009095653.tif 000012
【図１１】
2009095653.tif 000013
【図１２】
2009095653.tif 000014
【図１３】
2009095653.tif 000015
【図１４】
2009095653.tif 000016
【図１５】
2009095653.tif 000017
【図１６】
2009095653.tif 000018
【図１７】
2009095653.tif 000019
【図１８】
2009095653.tif 000020
【図１９】
2009095653.tif 000021
【図２０】
2009095653.tif 000022
【図２１】
2009095653.tif 000023
【図２２】
2009095653.tif 000024
【図２３】
2009095653.tif 000025